(57)【要約】【課題】マルチホップ接続等の無線通信において、通信品質の向上を図る。【解決手段】本発明は、複数の無線局間で信号を順次転送することにより送信元の無線局からの信号を送信先の無線局へ伝送する無線通信システムであって、転送の際に受信側となる無線局３は、送信側に位置する無線局２や１のうち受信可能な無線局からの信号をそれぞれ受信する複数の受信器３１１，３１２と、複数の受信器３１１，３１２が受信した信号を合成する合成器３３とを備える。【選択図】      図２
2004165935.tif 000002
【特許請求の範囲】
【請求項１】
複数の無線局間で信号を順次転送することにより送信元の無線局からの信号を送信先の無線局へ伝送する無線通信システムであって、
前記転送の際に受信側となる無線局は、送信側に位置する無線局のうち受信可能な無線局からの信号をそれぞれ受信する複数の受信器と、
前記複数の受信器が受信した信号を合成する合成器と
を備えることを特徴とする無線通信システム。
【請求項２】
前記合成器は、復調された受信信号を最大比合成又は等利得合成することを特徴とする請求項１に記載の無線通信システム。
【請求項３】
前記複数の受信器から前記合成器に入力される信号の遅延を吸収し、各信号の入力時期を合致させる遅延処理部を有することを特徴とする請求項１又は２に記載の無線通信システム。
【請求項４】
前記受信部が受信した信号の信号対雑音干渉電力を測定し、その測定結果が所定の閾値を超える信号を前記合成部に出力する測定部を有することを特徴とする請求項１乃至３に記載の無線通信システム。
【請求項５】
複数の無線局間で信号を順次転送することにより送信元の無線局からの信号を送信先の無線局へ伝送する無線通信システムであって、
前記転送の際に受信側となる無線局は、送信側に位置する無線局のうち受信可能な無線局からの信号をそれぞれ受信する複数の受信器と、
前記複数の受信器が受信した信号のうち所定の信号を選択する選択部と
を備えることを特徴とする無線通信システム。
【請求項６】
合成又は選択された信号を受信側に位置する他の無線局へ送信する転送部を備えることを特徴とする請求項１乃至５に記載の無線通信システム。
【請求項７】
複数の無線局間で信号を順次転送することにより送信元の無線局からの信号を送信先の無線局へ伝送する無線通信方法であって、
前記転送の際に受信側となる無線局において、送信側に位置する無線局のうち受信可能な無線局からの信号をそれぞれ受信するステップ（１）と、
受信したそれぞれの信号を合成するステップ（２）と
を備えることを特徴とする無線通信方法。
【請求項８】
前記ステップ（２）においては、復調された受信信号を最大比合成又は等利得合成することを特徴とする請求項７に記載の無線通信方法。
【請求項９】
前記ステップ（２）に先だって、受信された信号の遅延を吸収し、各信号の入力時期を合致させることを特徴とする請求項７又は８に記載の無線通信方法。
【請求項１０】
前記ステップ（２）において、受信した信号の信号対雑音干渉電力を測定し、その測定結果が所定の閾値を超える信号を抽出し、合成することを特徴とする請求項７乃至９に記載の無線通信方法。
【請求項１１】
複数の無線局間で信号を順次転送することにより送信元の無線局からの信号を送信先の無線局へ伝送する無線通信方法であって、
前記転送の際に受信側となる無線局において、送信側に位置する無線局のうち受信可能な無線局からの信号をそれぞれ受信するステップ（１）と、
受信した複数の信号のうち所定の信号を選択するステップ（２）と
を備えることを特徴とする無線通信方法。
【請求項１２】
合成又は選択された信号を受信側に位置する他の無線局へ送信するステップをさらに備えることを特徴とする請求項７乃至１１に記載の無線通信方法。
【請求項１３】
受信した信号を他の無線局に転送することにより送信元の無線局からの信号を送信先の無線局へ伝送する機能を備えた移動端末であって、
前記転送の際、受信側となった場合に、送信側に位置する無線局のうち受信可能な無線局からの信号をそれぞれ受信する複数の受信器と、
前記複数の受信器が受信した信号を合成する合成器と
を備えることを特徴とする移動端末。
【請求項１４】
前記合成器は、復調された受信信号を最大比合成又は等利得合成することを特徴とする請求項１３に記載の移動端末。
【請求項１５】
前記複数の受信器から前記合成器に入力される信号の遅延を吸収し、各信号の入力時期を合致させる遅延処理部を有することを特徴とする請求項１３又は１４に記載の移動端末。
【請求項１６】
前記受信部が受信した信号の信号対雑音干渉電力を測定し、その測定結果が所定の閾値を超える信号を前記合成部に出力する測定部を有することを特徴とする請求項１３乃至１５に記載の移動端末。
【請求項１７】
複数の無線局間で信号を順次転送することにより送信元の無線局からの信号を送信先の無線局へ伝送する無線通信システムであって、
前記転送の際に受信側となる無線局は、送信側に位置する無線局のうち受信可能な無線局からの信号をそれぞれ受信する複数の受信器と、
前記複数の受信器が受信した信号のうち所定の信号を選択する選択部と
を備えることを特徴とする移動端末。
【請求項１８】
合成又は選択された信号を受信側に位置する他の無線局へ送信する転送部を備えることを特徴とする請求項１３乃至１７に記載の移動端末。
【請求項１９】
複数の無線局間で信号を順次転送することにより送信元の無線局からの信号を送信先の無線局へ伝送する無線通信プログラムであって、
コンピュータに、
前記転送の際に受信側となる無線局において、送信側に位置する無線局のうち受信可能な無線局からの信号をそれぞれ受信するステップ（１）と、
受信したそれぞれの信号を合成するステップ（２）と
を備える処理を実行させることを特徴とする移動通信プログラム。
【請求項２０】
前記ステップ（２）においては、復調された受信信号を最大比合成又は等利得合成することを特徴とする請求項１９に記載の移動通信プログラム。
【請求項２１】
前記ステップ（２）に先だって、受信された信号の遅延を吸収し、各信号の入力時期を合致させることを特徴とする請求項１９又は２０に記載の移動通信プログラム。
【請求項２２】
前記ステップ（２）において、受信した信号の信号対雑音干渉電力を測定し、その測定結果が所定の閾値を超える信号を抽出し、合成することを特徴とする請求項１９乃至２１に記載の移動通信プログラム。
【請求項２３】
複数の無線局間で信号を順次転送することにより送信元の無線局からの信号を送信先の無線局へ伝送する無線通信プログラムであって、
コンピュータに、
前記転送の際に受信側となる無線局において、送信側に位置する無線局のうち受信可能な無線局からの信号をそれぞれ受信するステップ（１）と、
受信した複数の信号のうち所定の信号を選択するステップ（２）と
を備える処理を実行させることを特徴とする移動通信プログラム。
【請求項２４】
合成又は選択された信号を受信側に位置する他の無線局へ送信するステップをさらに備えることを特徴とする請求項１９乃至２３に記載の移動通信プログラム。
【発明の詳細な説明】
【０００１】
【発明の属する技術分野】
本発明は、マルチホップ無線ネットワーク等の、複数の無線局間で信号を順次転送することにより送信元の無線局からの信号を送信先の無線局へ伝送する無線通信システム、無線通信方法、移動端末及び移動通信プログラムに関する。
【０００２】
【従来の技術】
従来より、サービス提供エリアを広げる一つの手法として、無線局間でマルチホップ無線ネットワークを構成する方法がある。このマルチホップ無線ネットワークとは、各無線局が中継機能をもち、互いに直接通信ができない無線局間をその間に存在する複数の無線局が信号を中継することにより、その無線局間同士が通信できるネットワーク形態である。
【０００３】
すなわち、図１５に示すように、上記マルチホップ接続では、複数の無線局１，２１，２２，３間で、信号を順次転送することにより送信元の無線局１からの信号を送信先の無線局３へ伝送する。なお、同図においては、送信側の無線局１を送信元局とし、受信側の無線局３を送信先局とし、この両局の間に位置する無線局が中継局２１，２２となり、送信元局からのデータを中継局が順次転送し、送信先局に伝送する場合を例示している。
【０００４】
【特許文献１】
特開２００１−２３７７６４号公報
【０００５】
【発明が解決しようとする課題】
しかしながら、従来のマルチホップ接続では、図１６に示すように、隣接する局間でのみデータを転送するものであることから、送信側の無線局からの信号が所要の品質を満たさない場合に、通信品質が劣化する問題があった。
【０００６】
そこで、本発明は、以上の点に鑑みてなされたもので、マルチホップ接続等の無線通信など、複数の無線局間で信号を順次転送することにより送信元の無線局からの信号を送信先の無線局へ伝送する通信形態において、通信品質の向上を図ることのできる無線通信システム、無線通信方法、移動端末及び移動通信プログラムを提供することを目的とする。
【０００７】
【課題を解決するための手段】
上記課題を解決するために、本発明は、複数の無線局間で信号を順次転送することにより送信元の無線局からの信号を送信先の無線局へ伝送する際、受信側となる無線局において、送信側に位置する無線局のうち受信可能な無線局からの信号をそれぞれ受信し、この受信したそれぞれの信号を合成する。なお、この発明においては、復調された受信信号を最大比合成又は等利得合成することが好ましい。
【０００８】
このような本発明によれば、受信可能な無線局からの信号を可能な限り利用して合成し、復号を行うため、送信先局に最も近い中継局からの信号のみを復号した場合に比べて、通信品質を向上させることができる。
【０００９】
上記発明においては、受信された信号の遅延を吸収し、各信号の入力時期を合致させることが好ましい。
【００１０】
この場合には、送信元局から受信される信号が、中継局から受信される信号よりも遅延するような場合であっても、その遅延を吸収することによって、合成に際して、入力される信号のタイミングを合わせることができ、適正な合成を実現することができる。
【００１１】
上記発明においては、受信した信号の信号対雑音干渉電力を測定し、その測定結果が所定の閾値を超える信号を抽出し、合成することが好ましい。
【００１２】
この場合には、送信局から受信される信号が、中継局から受信される信号と比べて、受信電力が小さい場合に、画一的に合成処理されるのを回避し、受信電力が十分に大きい場合にのみ合成処理することにより、信号の品質劣化を防止することができる。
【００１３】
また、他の発明は、複数の無線局間で信号を順次転送することにより送信元の無線局からの信号を送信先の無線局へ伝送する際、転送の際に受信側となる無線局において、送信側に位置する無線局のうち受信可能な無線局からの信号をそれぞれ受信し、受信した複数の信号のうち所定の信号を選択する。
【００１４】
このような本発明によれば、直近の無線局からの信号のみならず、受信可能な無線局からの信号をも受信し、そのうち適正に復号できた信号を適宜選択して用いることから、シングルホップ状態とマルチホップ状態とのソフトハンドオフの効果を得ることができる。
【００１５】
上記発明においては、合成又は選択された信号を受信側に位置する他の無線局へ送信することが好ましい。この場合には、無線局を送信先局（受信側局）のみならず、他局からの信号を転送する中継局として機能させることが可能となり、より多様な無線通信網を構築することができる。
【００１６】
【発明の実施の形態】
［第１実施形態］
本発明に係る無線通信システムの第１実施形態について説明する。図１は、第１実施形態に係る無線通信システムの概要を模式的に示す説明図である。図１に示すように、本実施形態における無線通信システムは、マルチホップ接続を介して通信を行うシステムであり、状況に応じて、複数の無線局１〜３が送信側の送信元局、中継局、送信先局としての役割を果たし、送信元局から送信された信号を、中継局により転送し、送信先局に伝送する。なお、図１においては、無線局１を送信元局とし、無線局２を中継局とし、無線局３を送信先局とした場合を例示している。
【００１７】
図２（ａ）は、送信先局となった無線局３の内部構成を示すブロック図である。同図に示すように、無線局３は、信号を受信する受信器３１１及び３１２と、各受信信号を復調する復調器３２１及び３２２と、各復調器３２１及び３２２からの復調信号を合成する合成器３３と、合成された信号を復号する復号器３４とを備えている。
【００１８】
そして、本実施形態では、図２（ｂ）に示すように、送信先局は中継局からの信号を受信器３１１で受信すると同時に、送信元局からの信号も受信器３１２で受信し（Ｓ１０１）、復調器３２１及び３２２においてこの両者の信号を復調し（Ｓ１０２）、合成器３３により合成し（Ｓ１０３）、この合成された信号を復号する（Ｓ１０４）。ステップ１０３における合成器３３による合成方式としては、シンボル単位での最大比合成あるいは等利得合成により行う。
【００１９】
このような第１実施形態に係る無線通信システムによれば、直近の無線局からの信号と、他の無線局からの信号を合成して復号するため、中継局からの信号のみを復号した場合に比べて、通信品質を向上させることができる。
【００２０】
なお、本実施形態では、送信先局である無線局３の受信器能のみについて詳述したが、本発明はこれに限定されるものではなく、各無線局に、合成された信号を受信側に位置する他の無線局へ送信する転送機能を設け、各無線局を送信先局（受信側局）のみならず、他局からの信号を転送する中継局として機能させることができ、これにより、より多様な無線通信網を構築することができる。
【００２１】
（変更例）
なお、本発明は、上記実施形態に限定されるものではなく、例えば、中継局が複数ある場合にも適用することができる。図３に中継局が複数存在する場合のマルチホップ接続における送信元局、中継局および送信先局を示す。
【００２２】
図３に示すように、本変更例における無線通信システムにおいても、マルチホップ接続を介して通信を行い、状況に応じて、複数の無線局１〜３が送信側の送信元局、中継局、送信先局としての役割を果たし、送信元局から送信された信号を、中継局により転送し、送信先局に伝送する。なお、図３においても、無線局１を送信元局とし、無線局２を中継局とし、無線局３を送信先局とした場合を例示している。
【００２３】
図４（ａ）は、送信先局となった無線局３の内部構成を示すブロック図である。同図に示すように、無線局３は、信号を受信する受信器３１１〜３１ｎと、受信信号を復調する復調器３２１〜３２ｎと、各復調器３２１〜３２ｎからの復調信号を合成する合成器３３と、合成された信号を復号する復号器３４とを備えている。
【００２４】
そして、送信先局では、図４（ｂ）に示すように、受信器３１１により送信先局に最も近い中継局（無線局２２）からの信号を受信すると同時に、受信器３１２〜３２ｎにより他の中継局（無線局２１）及び送信元局（無線局１）からの信号も受信する（Ｓ２０１）。その後、各復調器３２１〜３２ｎにより、すべての信号を復調し（Ｓ２０２）、合成器３３により、シンボル単位の等利得合成あるいは最大比合成により合成し（Ｓ２０３）、復号器３４により復号処理等を行う（Ｓ２０５）。
【００２５】
このような本変更例に係る無線通信システムによれば、受信可能な無線局からの信号を可能な限り利用して合成し、復号を行うため、送信先局に最も近い中継局からの信号のみを復号した場合に比べて、通信品質を向上させることができる。
【００２６】
［第２実施形態］
次いで、本発明の第２実施形態について説明する。本実施形態では、上述した第１実施形態における復号器３４を、各復調器３２１，３２２からの出力信号それぞれに対し設けるとともに、上述した合成器３３に変えて選択部３５を設けたことを特徴とする。
【００２７】
本実施形態において送信先局である無線局３は、図５（ａ）に示すように、信号を受信する受信器３１１，３１２と、受信信号を復調する復調器３２１，３２２と、各復調器３２１，３２２からの復調信号を復号する復号器３４１，３４２と、これら復号器３４１，３４２からの入力信号を選択して出力する選択部３５とを備えている。
【００２８】
そして、本実施形態に係る無線通信システムでは、図５（ｂ）に示すように、送信先局は中継局からの信号を受信器３１１で受信すると同時に、送信元局からの信号も受信器３１２で受信し（Ｓ３０１）、復調器３２１及び３２２において、これらの信号を復調し（Ｓ３０２）、この復調された信号を各復号器３４１及び３４２により復号する（Ｓ３０３）。復号された信号は、選択部３５に入力され、選択部３５において、適切に復号された信号が選択され、出力される（Ｓ３０４）。
【００２９】
このような第２実施形態に係る無線通信システムによれば、直近の無線局からの信号のみならず、受信可能な無線局からの信号をも受信し、そのうち適正に復号できた信号を適宜選択して用いることから、シングルホップ状態とマルチホップ状態とのソフトハンドオフの効果を得ることができる。
【００３０】
なお、本実施形態では、送信先局３の受信器能のみについて詳述したが、本発明はこれに限定されるものではなく、各無線局に、合成された信号を受信側に位置する他の無線局へ送信する転送機能を設け、各無線局を送信先局（受信側局）のみならず、他局からの信号を転送する中継局として機能させることができ、これにより、より多様な無線通信網を構築することができる。
【００３１】
（変更例）
なお、本発明は、上記実施形態に限定されるものではなく、例えば、中継局が複数ある場合にも適用することができる。すなわち、送信先局は送信元局から受信局に至るまでのすべての中継局からの信号を受信すると同時に、送信元局からの信号も受信し、送信先局においてこのすべての信号を復号し、正しく復号できた信号を選択する。
【００３２】
図６（ａ）は、送信先局となった無線局３の内部構成を示すブロック図である。同図に示すように、無線局３は、信号を受信する受信器３１１〜３１ｎと、受信信号を復調する復調器３２１〜３２ｎと、各復調器３２１〜３２ｎからの復調信号を復号する復号器３４１〜３４ｎと、これら復号された信号のうち、適正に復号された信号のみを選択して出力する選択部３５とを備えている。
【００３３】
そして、送信先局では、図６（ｂ）に示すように、受信器３１１により送信先局に最も近い中継局（無線局２２）からの信号を受信すると同時に、受信器３１２〜３２ｎにより他の中継局（無線局２１）及び送信元局（無線局１）などからの信号も受信する（Ｓ４０１）。その後、各復調器３２１〜３２ｎにより、すべての信号を復調し（Ｓ４０２）、各復号器３４１〜３４ｎにより復号処理等を行い（Ｓ４０３）、選択部３５において、これら復号された信号のうち、適正に復号された信号を選択して後段に出力する（Ｓ４０４）。
【００３４】
このような本変更例に係る無線通信システムによれば、シングルホップ状態や様々な中継経路により構成されるマルチホップ状態とのソフトハンドオフの効果を得ることができる。
【００３５】
［第３実施形態］
次いで、本発明の第３実施形態について説明する。本実施形態では、上述した第１実施形態における合成器３３の前段に、復調器３２２からの信号の遅延を吸収し、各信号の入力時期を合致させるバッファ３６を設けたことを特徴とする。
【００３６】
具体的には、図７（ａ）に示すように、無線局３は、信号を受信する受信器３１１及び３１２と、各受信信号を復調する復調器３２１及び３２２と、復調器３２２から出力される信号を一時的に記憶するバッファ３６と、各復調器３２１及び３２２からの復調信号を合成する合成器３３と、合成された信号を復号する復号器３４とを備えている。
【００３７】
そして、本実施形態では、図７（ｂ）に示すように、送信先局は中継局からの信号を受信器３１１で受信すると同時に、送信元局からの信号も受信器３１２で受信し（Ｓ５０１）、復調器３２１及び３２２においてこの両者の信号を復調し（Ｓ５０２）、バッファ３６において、送信元局からの信号について信号遅延を吸収して入力時期の調整を行い（Ｓ５０３）、合成器３３により合成し（Ｓ５０４）、この合成された信号を復号する（Ｓ５０５）。
【００３８】
このような本実施形態に係る無線通信システムによれば、送信元局から受信される信号が、中継局から受信される信号よりも遅延するような場合であっても、その遅延を吸収することによって、合成器３３による合成に際して、合成器３３に入力される信号のタイミングを合わせることができる。
【００３９】
なお、本実施形態では、送信先局である無線局３の受信器能のみについて詳述したが、本発明はこれに限定されるものではなく、各無線局に、合成された信号を受信側に位置する他の無線局へ送信する転送機能を設け、各無線局を送信先局（受信側局）のみならず、他局からの信号を転送する中継局として機能させることができ、これにより、より多様な無線通信網を構築することができる。
【００４０】
（変更例）
なお、本発明は、上記第３実施形態に限定されるものではなく、例えば、図８（ａ）に示すように、バッファ３６１，３６２を各復調器３２１，３２２に対して設け、全ての信号について信号遅延を調節することができる。
【００４１】
そして、本実施形態では、図８（ｂ）に示すように、送信先局は中継局からの信号を受信器３１１で受信すると同時に、送信元局からの信号も受信器３１２で受信し（Ｓ６０１）、復調器３２１及び３２２においてこの両者の信号を復調し（Ｓ６０２）、バッファ３６において、全ての信号の信号遅延を吸収して入力時期の調整を行い（Ｓ６０３）、合成器３３により合成し（Ｓ６０４）、この合成された信号を復号する（Ｓ６０５）。
【００４２】
［第４実施形態］
次いで、本発明の第４実施形態について説明する。本実施形態では、上述した第１実施形態における合成器３３の前段に、受信した信号の信号対雑音干渉電力（ＳＩＮＲ）を測定し、その測定結果が所定の閾値を超える信号のみを合成部に出力する測定部を設けたことを特徴とする。
【００４３】
具体的には、図９（ａ）に示すように、無線局３は、信号を受信する受信器３１１及び３１２と、各受信信号を復調する復調器３２１及び３２２と、復調器３２２から出力される信号のＳＩＮＲを測定し、所定の閾値を超える信号のみを抽出して出力する受信ＳＩＮＲ測定部３８と、これから出力された信号のうち適正に復調された信号を選択して合成器３３に出力する選択部３７と、選択された信号を合成する合成器３３と、合成された信号を復号する復号器３４とを備えている。
【００４４】
そして、本実施形態では、図９（ｂ）に示すように、送信先局は中継局からの信号を受信器３１１で受信すると同時に、送信元局からの信号も受信器３１２で受信し（Ｓ７０１）、復調器３２１及び３２２においてこの両者の信号を復調し（Ｓ７０２）、受信ＳＩＮＲ測定部３８において、送信元局からの信号について信号対雑音干渉電力（ＳＩＮＲ）を測定し、その測定結果が所定の閾値を超える信号のみを出力し（Ｓ７０３）、この出力された信号のうち適正に復調された信号を選択部３７により選択して合成器３３に出力し（Ｓ７０４）、この選択された信号を合成器３３により合成し（Ｓ７０５）、この合成された信号を復号する（Ｓ７０６）。
【００４５】
このような本実施形態に係る無線通信システムによれば、送信局から受信される信号が、中継局から受信される信号と比べて、受信電力が小さい場合に、画一的に合成処理されるのを回避し、受信電力が十分に大きい場合にのみ合成処理することにより、信号の品質劣化を防止することができる。
【００４６】
なお、本実施形態では、送信先局である無線局３の受信器能のみについて詳述したが、本発明はこれに限定されるものではなく、各無線局に、合成された信号を受信側に位置する他の無線局へ送信する転送機能を設け、各無線局を送信先局（受信側局）のみならず、他局からの信号を転送する中継局として機能させることができ、これにより、より多様な無線通信網を構築することができる。
【００４７】
（変更例）
なお、本発明は、上記第４実施形態に限定されるものではなく、例えば、図１０（ａ）に示すように、受信ＳＩＮＲ測定部３８１〜３８ｎを各復調器３２１〜３２ｎに対して設け、全ての信号について受信電力の測定を行うようにすることができる。
【００４８】
そして、本実施形態では、図１０（ｂ）に示すように、送信先局は中継局からの信号を受信器３１１で受信すると同時に、送信元局からの信号も受信器３１２〜３１ｎで受信し（Ｓ８０１）、復調器３２１〜３２ｎにおいてこの両者の信号を復調し（Ｓ８０２）、受信ＳＩＮＲ測定部３８１〜３８ｎにおいて、全ての信号について信号対雑音干渉電力（ＳＩＮＲ）を測定し、その測定結果が所定の閾値を超える信号のみを出力し（Ｓ８０３）、この出力された信号のうち適正に復調された信号を選択部３７１〜３７ｎにより選択して合成器３３に出力し（Ｓ８０４）、この選択された信号を合成器３３により合成し（Ｓ８０５）、この合成された信号を復号する（Ｓ８０６）。
【００４９】
［第５実施形態］
次いで、本発明の第５実施形態について説明する。上述した第１〜４実施形態では、無線局間において転送する場合について例示したが、本実施形態では、図１１に示すように、セルラ方式の移動通信において、基地局６から中継局５を経て、移動局４に信号を伝送する場合を例示する。なお、本実施形態では、無線伝送方式として、符号分割多重アクセス方式（ＣＤＭＡ）を用いるものとする。
【００５０】
図１２（ａ）は、送信先局となった無線局３の内部構成を示すブロック図である。同図に示すように、本実施形態に係る移動局４は、信号を受信する受信器３１と、受信信号を逆拡散し、ＲＡＫＥ合成することによって、中継局及び基地局からの信号を分離する逆拡散・ＲＡＫＥ合成部３９１，３９２と、抽出された信号の遅延を吸収するバッファ３６１，３６２と、各信号を合成する合成器３３と、合成された信号を復号する復号器３４とを備えている。
【００５１】
そして、本実施形態では、図１２（ｂ）に示すように、移動局４は、中継局５及び基地局からの信号を受信器３１で受信し（Ｓ９０１）、逆拡散・ＲＡＫＥ合成部３９１，３９２において、中継局用の拡散符号および基地局用の拡散符号を用いることで、それぞれからの信号を分離し（Ｓ９０２）、バッファ３６において、全ての信号の信号遅延を吸収して入力時期の調整を行い（Ｓ９０３）、合成器３３により合成し（Ｓ９０４）、この合成された信号を復号する（Ｓ９０５）。
【００５２】
（変更例）
なお、この第５実施形態においても、上述した第２実施形態と同様に、合成器３３に変えて選択部３５を設けることができる。
【００５３】
すなわち、図１３に示すように、本実施形態に係る移動局４は、信号を受信する受信器３１と、受信信号を逆拡散し、ＲＡＫＥ合成することによって、中継局及び基地局からの信号を分離する逆拡散・ＲＡＫＥ合成部３９１，３９２と、抽出された信号を復号する復号器３４１，３４２と、復号された信号の遅延を吸収するバッファ３６１，３６２と、これらバッファ３６１，３６２からの入力信号を選択して出力する選択部３５とを設ける。
【００５４】
そして、本実施形態に係る無線通信システムでは、図１３（ｂ）に示すように、移動局４は、中継局５及び基地局からの信号を受信器３１で受信し（Ｓ１００１）、逆拡散・ＲＡＫＥ合成部３９１，３９２において、中継局用の拡散符号および基地局用の拡散符号を用いることで、それぞれからの信号を分離し（Ｓ１００２）、各信号を復号器３４１，３４２で復号し（Ｓ１００３）、バッファ３６において、全ての信号の信号遅延を吸収して入力時期の調整を行い（Ｓ１００４）、選択部３５により適正に復号された信号を出力する（Ｓ１００５）。
【００５５】
なお、本実施形態では、移動局４の受信器能のみについて詳述したが、本発明はこれに限定されるものではなく、移動局に、合成された信号を受信側に位置する他の無線局へ送信する転送機能を設け、各無線局を送信先局（受信側局）のみならず、他局からの信号を転送する中継局として機能させることができる。
【００５６】
［第６実施形態］
なお、上述した第１〜５実施形態における通信方法は、所定のコンピュータ言語で記述されたプログラムとすることができる。すなわち、プログラムを、無線局１，２，３や、中継局５、又は基地局６に備えられたコンピュータや、携帯電話等の移動局４にインストールすることにより、上述した各機能を有する無線局や移動局、基地局又は中継局を容易に構築することができる。このプログラムは、例えば、通信サービス及びスタンドアローンの計算機上で動作するアプリケーションとすることができる。
【００５７】
そして、このようなプログラムは、図１４に示すような、汎用コンピュータ１２０で読み取り可能な記録媒体１１６〜１１９に記録することができる。具体的には、同図に示すような、フレキシブルディスク１１６やカセットテープ１１９等の磁気記録媒体、若しくはＣＤ−ＲＯＭやＤＶＤ−ＲＯＭ１１７等の光ディスクの他、ＲＡＭカード１１８など、種々の記録媒体に記録することができる。
【００５８】
そして、このプログラムを記録したコンピュータ読み取り可能な記録媒体によれば、汎用のコンピュータや携帯電話を用いて、上述した無線通信システムや無線通信方法を実施することが可能となるとともに、プログラムの保存、運搬及びインストールを容易に行うことができる。
【００５９】
【発明の効果】
以上説明したように、本発明の無線通信システム、無線通信方法、移動端末及び移動通信プログラムによれば、マルチホップ接続等の無線通信など、複数の無線局間で信号を順次転送することにより送信元の無線局からの信号を送信先の無線局へ伝送する通信形態において、通信品質の向上を図ることができる。
【図面の簡単な説明】
【図１】第１実施形態に係る無線通信システムの概要を模式的に示す説明図である。
【図２】（ａ）は、第１実施形態に係る無線通信システムにおいて送信先局となった無線局の内部構成を示すブロック図であり、（ｂ）は、その動作を示すフローチャート図である。
【図３】第１実施形態の変更例に係る無線通信システムの概要を模式的に示す説明図である。
【図４】（ａ）は、第１実施形態の変更例に係る無線通信システムにおいて送信先局となった無線局の内部構成を示すブロック図であり、（ｂ）は、その動作を示すフローチャート図である。
【図５】（ａ）は、第２実施形態に係る無線通信システムにおいて送信先局となった無線局の内部構成を示すブロック図であり、（ｂ）は、その動作を示すフローチャート図である。
【図６】（ａ）は、第２実施形態の変更例に係る無線通信システムにおいて送信先局となった無線局の内部構成を示すブロック図であり、（ｂ）は、その動作を示すフローチャート図である。
【図７】（ａ）は、第３実施形態に係る無線通信システムにおいて送信先局となった無線局の内部構成を示すブロック図であり、（ｂ）は、その動作を示すフローチャート図である。
【図８】（ａ）は、第３実施形態の変更例に係る無線通信システムにおいて送信先局となった無線局の内部構成を示すブロック図であり、（ｂ）は、その動作を示すフローチャート図である。
【図９】（ａ）は、第４実施形態に係る無線通信システムにおいて送信先局となった無線局の内部構成を示すブロック図であり、（ｂ）は、その動作を示すフローチャート図である。
【図１０】（ａ）は、第４実施形態の変更例に係る無線通信システムにおいて送信先局となった無線局の内部構成を示すブロック図であり、（ｂ）は、その動作を示すフローチャート図である。
【図１１】第５実施形態に係る無線通信システムの概要を模式的に示す説明図である。
【図１２】（ａ）は、第５実施形態に係る無線通信システムにおいて送信先局となった無線局の内部構成を示すブロック図であり、（ｂ）は、その動作を示すフローチャート図である。
【図１３】（ａ）は、第５実施形態の変更例に係る無線通信システムにおいて送信先局となった無線局の内部構成を示すブロック図であり、（ｂ）は、その動作を示すフローチャート図である。
【図１４】第６実施形態に係る無線通信プログラムを記録したコンピュータ読み取り可能な記録媒体を示す斜視図である。
【図１５】従来のマルチホップ接続の概要を模式的に示す説明図である。
【図１６】従来のマルチホップ接続における通信状況を模式的に示す説明図である。
【符号の説明】
１，２，２１，２２，３…無線局
４…移動局
５…中継局
６…基地局
２１，２２…中継局
３１…受信器
３３…合成器
３４…復号器
３５…選択部
３６…バッファ
３７…選択部
３８…測定部
１１６…フレキシブルディスク
１１７…ＲＯＭ
１１８…ＲＡＭカード
１１９…カセットテープ
１２０…汎用コンピュータ
３１１〜３１ｎ…受信器
３２１〜３２ｎ…復調器
３４１〜３４ｎ…復号器
３６１，３６２…バッファ
３８１，３８２…測定部
３９１…逆拡散・ＲＡＫＥ合成部
３９２…合成部
【図１】
2004165935.tif 000003
【図２】
2004165935.tif 000004
【図３】
2004165935.tif 000005
【図４】
2004165935.tif 000006
【図５】
2004165935.tif 000007
【図６】
2004165935.tif 000008
【図７】
2004165935.tif 000009
【図８】
2004165935.tif 000010
【図９】
2004165935.tif 000011
【図１０】
2004165935.tif 000012
【図１１】
2004165935.tif 000013
【図１２】
2004165935.tif 000014
【図１３】
2004165935.tif 000015
【図１４】
2004165935.tif 000016
【図１５】
2004165935.tif 000017
【図１６】
2004165935.tif 000018